(57)【要約】【課題】開閉体用施錠装置の操作レバーに結合して操作する操作紐の端部の把持体本体に、接着剤を用いることなく、ワンタッチで磁石を取付固定させる。【解決手段】把持体外箱３の内部に磁石４を有し、磁石４の磁着力により、金属外面部に磁着させて保持させるようにした操作紐端部の把持体２の構造において、把持体外箱３に形成された磁石挿入開口９から磁石４を把持体外箱３の内部に挿入した状態において、磁石４を把持体外箱３の内部に設けられた弾性板状の保持爪片７により保持させるようにした。【選択図】      図４
2020084604.tif 000002
【特許請求の範囲】
【請求項１】
操作紐端部に設けられ、把持体外箱の内部に磁石を有する把持体の構造において、
前記把持体外箱に形成された磁石挿入開口から磁石を把持体外箱の内部に挿入したときに、磁石は、把持体外箱の内部に設けられた弾性板状の保持爪片を弾動させて把持体外箱の内部に保持されることを特徴とする操作紐端部の把持体の構造。
【請求項２】
操作紐（１）の端部に設けられる把持体（２）であって、把持体外箱（３）の内部に磁石（４）を有し、磁石（４）の磁着力により、金属外面部に磁着させて保持させるようにした操作紐端部の把持体の構造において、
前記把持体外箱（３）は、合成樹脂により一体的に形成され、把持体外箱（３）の内部には、前記操作紐（１）の端部が抜止収納される紐端部収納空間部（５）と、前記磁石（４）が収納保持される磁石収納空間部（６）とを有し、
磁石収納空間部（６）には、基端部が磁石収納空間部を構成する合成樹脂壁部と一体であり、先端部に磁石の保持爪部（８）を有する弾性板状の保持爪片（７）が磁石収納空間部（６）の表面又は裏面に沿って突出形成され、
磁石収納空間部（６）は、把持体外箱（３）の外壁面に開口された磁石挿入開口（９）と連通し、磁石挿入開口（９）から磁石収納空間部（８）内に挿入保持された磁石（４）は、保持爪片（７）の内壁面と保持爪部（８）の保持内面（８ａ）と磁石収納空間部（８）の保持壁面との間に保持され、保持爪部（８）の先端外面には、磁石（４）が磁石挿入開口（９）から挿入されたときに、保持爪部（８）を弾性的に撓ませて磁石（４）の挿入をガイドする案内面（８ｂ）を有することを特徴とする操作紐端部の把持体の構造。
【請求項３】
前記保持爪片（７）は、基端部が前記磁石収納空間部（６）を構成する合成樹脂壁部と一体であり先端部に前記磁石（４）の前記保持爪部（８）を有する弾性板状をなし、前記磁石収納空間部（６）の表面又は裏面の中間部に沿って突出形成され、
保持爪部（８）は、磁石収納空間部（６）内方に突出する略直角三角形状をなし、前記磁石（４）が前記磁石挿入開口（９）から挿入されたときに、磁石（４）が保持爪部（８）の略直角三角形状の傾斜面をなす案内面（８ｂ）を押圧することにより保持爪片（７）を外方に撓ませて、磁石（４）を磁石保持爪片（７）の内壁面と保持爪部（８）の略直角三角形状の略直角保持内面（８ａ）と磁石収納空間部（６）の保持壁との間に保持させることを特徴とする請求項２記載の操作紐端部の把持体の構造。
【請求項４】
前記保持爪部は、その前記案内面が断面湾曲状に形成されていることを特徴とする請求項２記載の操作紐端部の把持体の構造。
【請求項５】
前記紐端部収納空間部（５）と前記磁石収納空間部（６）とは、前記把持体外箱（３）の内部における上下の内部位置に形成され、紐端部収納空間部（５）と磁石収納空間部（６）との間には隔壁（１１）が形成され、紐端部収納空間部（５）の外周壁面を形成する把持体外箱（３）の上部壁部には前記操作紐（１）の挿入孔（１０）が形成され、磁石収納空間部（６）の外周壁面を形成する把持体外箱（３）の下部壁部には前記磁石挿入開口（９）が形成され、磁石収納空間部（６）内には、前記下端部となる先端部に前記磁石の保持爪部（８）を有する弾性板状の保持爪片（７）が磁石収納空間部（６）の表面又は裏面に沿って突出形成されている請求項２乃至４のいずれか１項記載の操作紐端部の把持体の構造。
【請求項６】
前記紐端部収納空間部と前記磁石収納空間部とは、前記把持体外箱の内部における上下の内部位置に空間部が上下に連通された状態で形成され、紐端部収納空間部の外周壁面を形成する把持体外箱の上部壁部には前記操作紐の挿入孔が形成され、磁石収納空間部と連通する把持体外箱の裏面又は表面には前記磁石の磁石挿入開口が形成され、磁石収納空間部内には、前記先端部に磁石の前記保持爪部を有する弾性板状の保持爪片が磁石収納空間部の表面又は裏面に沿って突出形成されている請求項２乃至４のいずれか１項記載の操作紐端部の把持体の構造。
【請求項７】
前記紐端部収納空間部は、前記把持体外箱の内部における上部の内部位置に形成され、前記磁石収納空間部は、前記把持体外箱の内部における下部の内部位置に形成され、紐端部収納空間部の外周壁面を形成する把持体外箱の上部壁部には前記操作紐の挿入孔が形成され、磁石収納空間部の一側部壁面には磁石挿入開口が形成され、磁石収納空間部には先端部に前記磁石の保持爪部を有する弾性板状の保持爪片が磁石収納空間部の他側部内壁面から突出形成されている請求項２乃至４のいずれか１項記載の操作紐端部の把持体の構造。
【発明の詳細な説明】
【技術分野】
【０００１】
本発明は、引くことにより機器の開閉操作を行う開閉操作用紐端部の把持体の構造、例えば、建造物用シャッターとしての開閉体用施錠装置を開閉操作するための操作紐端部の把持体の構造に関する。
【背景技術】
【０００２】
後述する図１及び図２に示されるように、従来より、建造物用シャッターとしての開閉体用施錠装置として、レバー解錠式のものが知られている。この種の開閉体用施錠装置は、金属製のスラットカーテンよりなる開閉体の下端部材である座板の室内側に設けられ、上記レバーの手動操作に連動させて、開閉体の両側部から突出する後退可能な錠バーを、開閉体の両側部をガイドするガイドレール内に設けた突起に係止して、開閉体の開放方向の上昇を規制する。
【０００３】
特許文献１に示される従来の開閉体用施錠装置では、上記レバーに操作紐を連結させ、この操作紐端部の把持体（吊り玉）を持って、操作紐を引き上げ又は引き下げ操作をすることにより、開閉体用施錠装置を作動させる。
この特許文献１に示される開閉体用施錠装置では、上記操作紐の把持体に磁石を固定させて、不使用持の操作紐端部の把持体を金属製スラットカーテンよりなる開閉体の金属面に磁着させて仮保持させるようにしている。
【先行技術文献】
【特許文献】
【０００４】
【特許文献１】特許第５３６４４９６号公報
【発明の概要】
【発明が解決しようとする課題】
【０００５】
上記特許文献１に示される従来の操作紐では、上記磁石を接着剤により操作紐端部の把持体の本体に接着固定させることにより接合させるようにしていた。
しかしながら、上記接着剤による磁石の接合では、接合の信頼性及び部品管理やコスト面において、問題があった。
【０００６】
本発明は上記状況に鑑みてなされたもので、その目的は、上記操作紐の端部の把持体本体に、接着剤を用いることなく、ワンタッチで磁石を取付固定させることにより、上記の問題を解決するものである。
【課題を解決するための手段】
【０００７】
次に、上記の課題を解決するための手段を、実施の形態に対応する図面を参照して説明する。
本発明に係る把持体の構造は、把持体外箱の内部に磁石を有し、磁石の磁着力により、金属外面部に磁着させて保持させるようにした操作紐端部の把持体の構造において、前記把持体外箱に形成された磁石挿入開口から磁石を把持体外箱の内部に挿入した状態において、磁石は把持体外箱の内部に設けられた弾性板状の保持爪片により保持されることを特徴とする操作紐端部の把持体の構造にある。
【０００８】
請求項２記載の本発明に係る操作紐端部の把持体の構造は、
操作紐１の端部に設けられる把持体２であって、把持体外箱３の内部に磁石４を有し、磁石４の磁着力により、金属外面部に磁着させて保持させるようにした操作紐端部の把持体の構造において、
前記把持体外箱３は、合成樹脂により一体的に形成され、把持体外箱３の内部には、前記操作紐１の端部が抜止収納される紐端部収納空間部５と、前記磁石４が収納保持される磁石収納空間部６とを有し、
磁石収納空間部６には、基端部が磁石収納空間部を構成する合成樹脂壁部と一体であり、先端部に磁石の保持爪部８を有する弾性板状の保持爪片７が磁石収納空間部６の表面又は裏面に沿って突出形成されている。
磁石収納空間部６は、把持体外箱３の外壁面に開口された磁石挿入開口９と連通し、磁石挿入開口９から磁石収納空間部６内に挿入保持された磁石４は、保持爪片７の内壁面と保持爪部８の保持内面８ａと磁石収納空間部８の保持壁面との間に保持され、保持爪部８の先端外面には、磁石４が磁石挿入開口９から挿入されたときに、保持爪部８を弾性的に撓ませて磁石４の挿入をガイドする案内面８ｂを有することを特徴とする。
【０００９】
請求項３に記載される本発明では、
前記保持爪片７は、基端部が前記磁石収納空間部６を構成する合成樹脂壁部と一体であり先端部に前記磁石４の前記保持爪部８を有する弾性板状をなし、前記磁石収納空間部６の表面又は裏面の中間部に沿って突出形成され、
保持爪部８は、磁石収納空間部６内方に突出する略直角三角形状をなし、前記磁石４が前記磁石挿入開口９から挿入されたときに、磁石４が保持爪部８の略直角三角形状の傾斜面をなす案内面８ｂを押圧することにより保持爪片７を外方に撓ませて、磁石４を磁石保持爪片７の内壁面と保持爪部８の略直角三角形状の略直角保持内面８ａと磁石収納空間部６の保持壁との間に保持させる請求項２記載の操作紐端部の把持体の構造を特徴としている。
【００１０】
前記保持爪部は、その前記案内面を保持爪部の先端部から基部の方向に後退するように断面湾曲状に形成させるようにしてもよい。
【００１１】
請求項５に記載される本発明は、
前記紐端部収納空間部５と前記磁石収納空間部６とは、前記把持体外箱３の内部における上下の内部位置に形成され、紐端部収納空間部５と磁石収納空間部６との間には隔壁１１が形成され、紐端部収納空間部５の外周壁面を形成する把持体外箱３の上部壁部には前記操作紐１の挿入孔１０が形成され、磁石収納空間部６の外周壁面を形成する把持体外箱３の下部壁部には前記磁石挿入開口９が形成され、磁石挿入開口９と上下に対向する隔壁１１の壁面側から前記磁石収納空間部６内に、前記下端部となる先端部に前記磁石の保持爪部８を有する弾性板状の保持爪片７が磁石収納空間部６の表面又は裏面に沿って突出形成されている請求項２乃至４のいずれか１項記載の操作紐端部の把持体の構造を特徴とする。
【００１２】
請求項６に記載される本発明は、
前記紐端部収納空間部と前記磁石収納空間部とは、前記把持体外箱の内部における上下の内部位置に空間部が上下に連通された状態で形成され、紐端部収納空間部の外周壁面を形成する把持体外箱の上部壁部には前記操作紐の挿入孔が形成され、磁石収納空間部と連通する把持体外箱の裏面又は表面には前記磁石の磁石挿入開口が形成され、磁石収納空間部内には、前記先端部に前記磁石の前記保持爪部を有する弾性板状の保持爪片が磁石収納空間部の表面又は裏面に沿って突出形成されている操作紐端部の把持体の構造を特徴としている。
【００１３】
請求項７に記載される本発明は、
前記紐端部収納空間部は、前記把持体外箱の内部における上部の内部位置に形成され、前記磁石収納空間部は、前記把持体外箱の内部における下部の内部位置に形成され、紐端部収納空間部の外周壁面を形成する把持体外箱の上部壁部には前記操作紐の挿入孔が形成され、磁石収納空間部の外周壁面を形成する把持体外箱の一側部壁部には前記磁石挿入開口が形成され、磁石収納空間部には先端部に前記磁石の保持爪部を有する弾性板状の保持爪片が磁石収納空間部の表面又は裏面に沿って、磁石挿入開口と対向する磁石収納空間部の他側部内側壁から突出形成されている操作紐端部の把持体の構造を特徴としている。
【００１４】
上記本発明に係る操作紐端部の把持体の構造では、把持体外箱３の磁石挿入開口９から、磁石４を押し込み挿入させることにより、磁石４は、保持爪片７の保持爪部８に当たり、案内面８ｂを押圧することにより保持爪片７を外方に撓ませて、磁石収納空間部６内に挿入保持される。磁石収納空間部８内に挿入保持された磁石４は、保持爪片７の内壁面と保持爪部８の保持内面８ａと磁石収納空間部８の保持壁面との間に保持されて、固定される。
【００１５】
上記本発明に係る磁着式把持体を有する操作紐は、一例として、建物用シャッターの開閉体用施錠装置を構成する操作レバーに結合して用いられる。把持体２を持って、操作紐１を引くことにより、操作レバーを作動させて開閉体用施錠装置を開閉操作する。操作紐１の不要時には、磁着式の把持体２を、建物用シャッターの金属製スラットカーテンの金属面に磁着させて、仮保持させる。
【発明の効果】
【００１６】
本発明に係る操作紐端部の把持体の構造によれば、磁石を把持体外箱内に押し込み挿入することにより、保持爪片の弾性により把持体外箱内部の磁石収納空間部内に固定させることができ、磁石を固定させるための接着剤が不要となる。これにより、コストカットとなり、経済性が優れている。
【００１７】
また、接着剤の量及び接着強度などに左右されることがなく、一定の信頼性を保つことが可能となり、磁石付き把持体の品質が向上する。
【００１８】
さらに、磁石を把持体に固定する作業が、押し込み弾圧のみとなり、簡易化される。従来の接着剤による磁石の固定では、磁石が確実に固定されているか、目視で確認することが困難であったが、本発明では目視での確認が可能となった。これにより磁石固定後の脱落の確認作業が簡易化される。
【図面の簡単な説明】
【００１９】
【図１】本発明に係る開閉体用施錠装置の設けられる開閉体の斜視図である。
【図２】図１の開閉体に取り付けられた開閉体用施錠装置を室内側から見た正面図である。
【図３】本発明の第１実施形態に係る把持体の裏面図（Ａ），左側面図（Ｂ），一部を断面とした左側面図（Ｃ），横断面図（Ｄ），表面図（Ｅ）である。
【図４】本発明の第１実施形態に係る把持体の分解斜視図である。
【図５】本発明の第２実施形態にかかる把持体の裏面図（Ａ），横断面図（Ｂ）である。
【図６】本発明の第３実施形態にかかる把持体の裏面図（Ａ），横断面図（Ｂ）である。
【発明を実施するための形態】
【００２０】
（第１実施形態）
第１実施形態は、請求項１、２、３及び５に係る本発明の実施形態に相当する。
以下、本発明に係る操作紐端部の把持体の構造の第１実施形態を、図３及び図４を参照して説明する。
上記操作紐１の下端部に、吊り玉と称される上記把持体２が設けられている。把持体２は、把持体本体としての把持体外箱３の内部に磁石４を有し、磁石４の磁着力により、建物用シャッターを構成するスラットカーテンの金属外面部に磁着させて仮保持させるようにしている。
【００２１】
上記把持体外箱３は、合成樹脂により一体的に形成され、把持体外箱３の内部には、上記操作紐１の端部が抜止収納される紐端部収納空間部５と、上記磁石４が収納保持される磁石収納空間部６とを有している。磁石４は、矩形板状の、例えば、ネオジュウム磁石により形成されている。
【００２２】
磁石収納空間部６には、基端部が磁石収納空間部を構成する合成樹脂内壁面と一体であり、先端部に磁石の保持爪部８を有する弾性板状の保持爪片７が磁石収納空間部６の表面又は裏面に沿って突出形成されている。磁石収納空間部８は、把持体外箱３の外壁面に開口された磁石挿入開口９と連通し、磁石４は磁石挿入開口９から磁石収納空間部８内に挿入されて保持される。把持体外箱３の磁石収納空間部８内に挿入保持された磁石４は、保持爪片７の内壁面と保持爪部８の保持内面８ａと磁石収納空間部８の保持壁面１２との間に保持されている。保持壁面１２は保持爪片７と表裏に対面する磁石収納空間部８の裏面又は表面に形成されている。
【００２３】
保持爪部８の先端外面には、磁石４が磁石挿入開口９から挿入されたときに、保持爪部８を弾性的に撓ませて磁石４の挿入をガイドする案内面８ｂを有している。
保持爪部８は、磁石収納空間部６内方に突出する略直角三角形状をなし、磁石４が磁石挿入開口９から挿入されたときに、磁石４が保持爪部８の略直角三角形状の傾斜面をなす上記案内面８ｂを押圧することにより保持爪片７を外方に撓ませて、磁石４を磁石保持爪片７の内壁面と保持爪部８の略直角三角形状の他辺をなす略直角保持内面８ａと磁石収納空間部６の保持壁との間に保持させる。
【００２４】
把持体外箱３の内部には、操作紐１の先端側を持って下げた時に、上部側となる内部位置に、操作紐１の先端の端部が抜止収納される紐端部収納空間部５が形成され、下部側となる内部位置に磁石収納空間部６が形成されている。紐端部収納空間部５の上壁には、操作紐１が挿入される挿入孔１０が形成され、操作紐１の大径端部１ａが挿入保持されている。大径端部１ａは、操作紐１の下端を結ぶことにより形成されている。
【００２５】
把持体外箱３の内部における上記上側の紐端部収納空間部５と上記下側の磁石収納空間部６との間には、隔壁１１が形成され、隔壁１１と対向する把持体外箱３の下壁には、上記磁石挿入開口９が形成されている。
【００２６】
磁石収納空間部６は、把持体外箱３の内部において、表裏方向の厚さの略半分の厚さとされている。磁石収納空間部６の表面（又は裏面）は、後述する区画壁１３により形成され、裏面（又は表面）は、後述する保持壁面部１２により形成されている。              
【００２７】
磁石収納空間部６の表面（又は裏面）を形成する区画壁１３は、把持体外箱３の内部において隔壁１１の中間部に断面略Ｔ形に一体的に形成されている。区画壁１３の中間には、上記磁石保持爪片７が形成されている。磁石保持爪片７は、その基部が隔壁１１の側とされ、先端の保持爪部８が磁石挿入開口９の側とされた状態で、区画壁１３の中間に略コ形状に一体的に形成され、磁石保持爪片７の両側と先端保持爪部８の周囲は、平面略コ形のスリット状の貫通溝に囲まれて、弾性を有する短冊形バネ板状とされている。磁石収納空間部６の磁石保持爪片７と表裏に対向する区画壁１３の裏面の側は開口され、その開口の両側には、内外方向に連続する突起が形成され、左右突起の上面が磁石収納空間部８の裏面となる上記保持壁面部１２とされている。左右突起よりなる保持壁面部１２，１２の間は把持体外箱３の裏面側に開口する開口面とされている。区画壁１３の表面の側には、把持体外箱３の表面側に開口する凹部１４が形成されている。
【００２８】
次に、上記実施形態に係る操作紐端部の把持体２の組み付け手順について説明する。
把持体２を構成する把持体外箱３の挿入孔１０から紐端部収納空間部５内に、操作紐１の下端を挿入し、結ぶことにより大径端部１ａを形成して、把持体外箱３を操作紐１の端部に結合させる。これと前後して、把持体外箱３の磁石挿入開口９から磁石収納空間部６内に、磁石４を挿入係合させる。
【００２９】
保持壁面部１２は、磁石収納空間部８の裏面全体に形成される裏板形状とされていても良い。
【００３０】
また、磁石保持爪片７の先端保持爪部８の形状は、断面略半円形状若しくは断面略湾曲状に突出する形状とすることができる。
【００３１】
図１及び図２は、上記把持体２を有する操作紐１によって開閉操作される開閉体用施錠装置を示す。
開閉体用施錠装置１０１は、シャッター装置１０３の構成部材である開閉体、例えば金属スラット式のシャッターカーテン１０５に好適に用いることができる。シャッター装置１０３は、住宅用窓サッシ１０７の設けられた建物開口１０９の上部に収納ケース１１１が取り付けられ、開口１０９の左右に設けられたガイドレール１１３，１１３にて、収納ケース１１１に対し繰り出し・収納されるシャッターカーテン１０５が昇降ガイドされる。
【００３２】
開閉体用施錠装置１０１は、シャッターカーテン１０５の両側部１０５ａ，１０５ａから突出する後退可能な錠バー１１５，１１５を、シャッターカーテン１０５の両側部１０５ａ，１０５ａをガイドするガイドレール１１３，１１３内に設けた突起１１７，１１７に係止して、シャッターカーテン１０５の開放方向の上昇を規制する。
【００３３】
シャッターカーテン１０５の先端である下端には、開口１０９の間口方向に延在する座板１１９が取り付けられ、座板１１９には、開閉体用施錠装置１０１の錠ケース１２１を有している。
【００３４】
錠ケース１２１の側方には、座板１１９に沿って、上下回動式のレバー１３９が延出される。レバー１３９の先端には操作紐１の一端が固定され、操作１の他端には磁石を有する把持体２が固定されている。
【００３５】
把持体２を持って操作紐１を引き上げ操作することにより、レバー１３９を上方に回動させ、これにより錠ケース１２１内に収納される開閉体用施錠装置１０１の連動機構を介して、錠バー１１５，１１５を進退操作させる。
【００３６】
（実施形態２）
第２実施形態は、請求項１及び６に係る本発明の実施形態に相当する。
図５は、本発明の実施形態２に係る把持体２’を示している。
実施形態２の把持体２’において、紐端部収納空間部５と磁石収納空間部６とは、把持体外箱３の内部における上下の内部位置に空間部が上下に連通された状態で形成されている。
紐端部収納空間部５の外周壁面を形成する把持体外箱３の上部壁部には操作紐１の挿入孔１０が形成され、磁石収納空間部６と連通する把持体外箱３の裏面又は表面には磁石４の磁石挿入開口９' が形成されている。磁石挿入開口９' の内部には操作紐１の大径端部１ａが抜け止め収納される。磁石収納空間部６内には、先端部に磁石４の保持爪部８を有する弾性板状の保持爪片７が磁石収納空間部６の表面又は裏面に沿って突出形成されている。
【００３７】
実施形態２の把持体２’では、磁石挿入開口９' から磁石収納空間部６内に磁石４を挿入し、保持爪部８を弾動させて保持させる。その後、操作紐１の端部を挿入孔１０から紐端部収納空間部５内に挿入して、端部を折り返すように結合させて、抜け止め保持させるようにする。
【００３８】
（実施形態３）
第３実施形態は、請求項１及び７に係る本発明の実施形態に相当する。
図６は、本発明の実施形態３に係る把持体２''を示している。                        実施形態３に係る把持体２''の紐端部収納空間部５は、把持体外箱３の内部における上部の内部位置に形成され、磁石収納空間部６は、把持体外箱３の内部における下部の内部位置に形成されている。紐端部収納空間部５の外周壁面を形成する把持体外箱３の上部壁部には操作紐１の挿入孔１０が形成され、磁石収納空間部６の外周壁面を形成する把持体外箱３の一側部壁部に磁石挿入開口９''が形成されている。磁石収納空間部６には先端部に磁石４の保持爪部８を有する弾性板状の保持爪片７が磁石収納空間部６の表面又は裏面に沿って、磁石挿入開口９''と対向する磁石収納空間部６の他側部内側壁から突出形成されている。
【００３９】
実施形態３の把持体２''では、把持体外箱３の側方の磁石挿入開口９''から磁石収納空間部６内に磁石４を挿入し、保持爪部８を弾動させて保持させる。
【００４０】
上記実施形態２又は３において、上記実施形態１と対応する構成部分には、共通の用語及び参照符号を付して、その詳細な説明は省略した。
【００４１】
なお、上記の実施の形態では、開閉体がスラット式のシャッターカーテン５で構成されるシャッター装置を例に説明したが、本発明は、これ以外に、オーバーヘッドタイプや、シートシャッター、パネルシャッター等の開閉体を有するシャッター装置に採用されても上述同様の効果を奏するものである。
また、上記の実施の形態では、開閉体の開閉方向が上下方向とした例について説明したが、この開閉方向は上下方向でなくても良い。
【符号の説明】
【００４２】
１  操作紐
１ａ  大径端部
２, ２',２''  把持体
３  把持体外箱
４  磁石
５  紐端部収納空間部
６  磁石収納空間部
７  保持爪片
８  保持爪部
８ａ  保持内面
８ｂ  案内面
９, ９',９''  磁石挿入開口
１０  挿入孔
１１  隔壁
１２  保持壁面部
１３  区画壁
１４  凹部
【図１】
2020084604.tif 000003
【図２】
2020084604.tif 000004
【図３】
2020084604.tif 000005
【図４】
2020084604.tif 000006
【図５】
2020084604.tif 000007
【図６】
2020084604.tif 000008